【手続補正書】
【提出日】平成25年2月28日(2013.2.28)
【手続補正１】
【補正対象書類名】特許請求の範囲
【補正対象項目名】全文
【補正方法】変更
【補正の内容】
【特許請求の範囲】
【請求項１】
コンピュータによって実現される方法であって、
ソーシャルネットワーキングシステムの複数のユーザのプロフィールを維持することと、
前記ソーシャルネットワーキングシステムの前記ユーザ間の複数のコネクションを維持することと、
コンピューティングリソースに対するアクセスを要求するリクエストであって、前記ソーシャルネットワーキングシステムの或るユーザに関連した該リクエストをリクエスト元から受け取ることと、
前記或るユーザが前記ソーシャルネットワーキングシステムにおいてコネクションを持つ別のユーザのユーザプロフィールから情報を入手することと、
チャレンジ質問を生成することと、ここで、前記チャレンジ質問は、該チャレンジ質問に対する回答が、入手された前記情報に少なくとも部分的に基づくような質問であり、
前記リクエスト元に前記チャレンジ質問を送ることと、
前記チャレンジ質問に対する正しい回答の受け取りに応じて、要求された前記アクセスを許可することと、
を具備する方法。
【請求項２】
前記リクエストは、前記ソーシャルネットワーキングシステムによって提供されるアプリケーションプログラミングインターフェースを使用して前記ソーシャルネットワーキングシステムと通信することを必要とする請求項１に記載の方法。
【請求項３】
前記リクエストが疑わしいソースから受け取られたか否かを判定することと、
前記リクエストが疑わしいか否かに基づいて、前記リクエスト元に送られる前記チャレンジ質問の難易度を決定することと、
を更に具備する請求項１に記載の方法。
【請求項４】
前記チャレンジ質問に対する少なくとも１つの正しい回答および１または複数の正しくない回答を含む複数の回答を前記リクエスト元に送ることを更に具備する請求項１に記載の方法。
【請求項５】
前記リクエストが疑わしいソースから受け取られたか否かを判定することと、
前記リクエストが疑わしいか否かに基づいて、前記チャレンジ質問に対する前記複数の回答における回答の数を決定することと、
を更に具備した請求項４に記載の方法。
【請求項６】
前記チャレンジ質問は、前記別のユーザの画像が与えられた場合、該別のユーザの名前をアイデンティファイすることを要求する請求項１に記載の方法。
【請求項７】
前記チャレンジ質問は、前記別のユーザの名前が与えられた場合、該別のユーザの画像をアイデンティファイすることを要求する請求項１に記載の方法。
【請求項８】
前記チャレンジ質問は、前記別のユーザおよび前記或るユーザを示す画像が与えられた場合、該別のユーザをアイデンティファイすることを要求する請求項１に記載の方法。
【請求項９】
前記チャレンジ質問は、前記或るユーザが前記ソーシャルネットワーキングシステムにおいて最近インタラクトしたことがあり且つ該或るユーザが前記ソーシャルネットワーキングシステムにおいてコネクションを持つ第２のユーザをアイデンティファイすることを要求する請求項１に記載の方法。
【請求項１０】
前記別のユーザは、該別のユーザと前記或るユーザとの間の親近度の判定に基づいて選択される請求項１に記載の方法。
【請求項１１】
前記別のユーザと前記或るユーザとの親近度は、前記ソーシャルネットワーキングシステムにおける前記別のユーザと前記或るユーザとの間の１または複数のインタラクションに基づくものである請求項１０に記載の方法。
【請求項１２】
前記リクエストは、前記或るユーザのアカウントにログインするリクエストである請求項１に記載の方法。
【請求項１３】
前記リクエストは、メッセージを同報送信するリクエストである請求項１に記載の方法。
【請求項１４】
前記リクエストは、前記或るユーザのためにオンライン購入を実行するリクエストである請求項１に記載の方法。
【請求項１５】
前記チャレンジ質問に対する正しくない回答を受け取ることに応じて、リクエストされた前記アクセスを拒絶するステップを更に具備する請求項１に記載の方法。
【請求項１６】
コンピュータによって実現される方法であって、
ソーシャルネットワーキングシステムの複数のユーザのプロフィールを維持することと、
前記ソーシャルネットワーキングシステムの前記ユーザ間の複数のコネクションを維持することと、
前記ソーシャルネットワーキングシステムの或るユーザに関する情報に基づいてチャレンジ質問を生成するためのリクエストをリクエスト元から受け取ることと、
前記或るユーザが前記ソーシャルネットワーキングシステムにおいてコネクションを持つ別のユーザのユーザプロフィールから情報を入手し、チャレンジ質問を生成することと、ここで、前記チャレンジ質問は、該チャレンジ質問に対する回答が、該入手された前記別のユーザに関する情報に少なくとも部分的に基づくような質問であり、
前記リクエスト元に前記チャレンジ質問を送ることと、
を具備する方法。
【請求項１７】
前記リクエスト元からの疑惑度数値を受け取ることと、
前記疑惑度スコア値に基づいて、前記チャレンジ質問の難易度を決定することと、
を更に具備する請求項１６に記載の方法。
【請求項１８】
前記チャレンジ質問に対する少なくとも１つの正しい回答および１または複数の正しくない回答を含む複数の回答を前記リクエスト元に送ることを更に具備する請求項１６に記載の方法。
【請求項１９】
前記リクエスト元からの疑惑度スコア値を受け取ることと、
前記疑惑度スコア値に基づいて前記複数の回答における回答の数を決定することと、
を更に具備する請求項１８に記載の方法。
【請求項２０】
前記チャレンジ質問は、前記別のユーザの画像が与えられた場合、該別のユーザの名前をアイデンティファイすることを要求する請求項１６に記載の方法。
【請求項２１】
前記チャレンジ質問は、前記別のユーザの名前が与えられた場合、該別のユーザの画像をアイデンティファイすることを要求する請求項１６に記載の方法。
【請求項２２】
前記チャレンジ質問は、前記別のユーザおよび前記或るユーザを示す画像が与えられた場合、該別のユーザをアイデンティファイすることを要求する請求項１６に記載の方法。
【請求項２３】
前記チャレンジ質問は、前記或るユーザが前記ソーシャルネットワーキングシステムにおいて最近インタラクトしたことがあり且つ該或るユーザが前記ソーシャルネットワーキングシステムにおいてコネクションを持つ第２のユーザをアイデンティファイすることを要求する請求項１６に記載の方法。
【請求項２４】
前記別のユーザは、該別のユーザと前記或るユーザとの間の親近度の判定に基づいて選択される請求項１６に記載の方法。
【請求項２５】
前記別のユーザと前記或るユーザとの親近度は、前記ソーシャルネットワーキングシステムにおける前記別のユーザと前記或るユーザとの間の１または複数のインタラクションに基づくものである請求項２４に記載の方法。
【請求項２６】
コンピュータによって実現される方法であって、
コンピューティングリソースに対するアクセスを要求するリクエストであって、ソーシャルネットワーキングシステムの或るユーザを特定する該リクエストをリクエスト元から受け取ることと、
ソーシャルネットワーキングシステムに対してチャレンジ質問を要求するリクエストを送ることと、ここで、前記チャレンジ質問は、該チャレンジ質問に対する回答が、前記或るユーザが前記ソーシャルネットワーキングシステムにおいてコネクションを持つ該ソーシャルネットワーキングシステムの別のユーザのユーザプロフィールからの情報に少なくとも部分的に基づくような質問であり、
前記チャレンジ質問を受け取り、該チャレンジ質問を前記リクエスト元に送ることと、
前記チャレンジ質問に対する正しい回答の受け取りに応じて、要求された前記アクセスを許可することと、
を具備する方法。
【請求項２７】
前記リクエストが疑わしいソースから受け取られたか否かを判定することと、
前記リクエストが疑わしいか否かに基づいて、前記リクエスト元に送られる質問の難易度を決定することと、
を更に具備する請求項２６に記載の方法。
【請求項２８】
前記チャレンジ質問に対する少なくとも１つの正しい回答および１または複数の正しくない回答を含む複数の回答を受け取り、該複数の回答を前記リクエスト元に送ることを更に具備する請求項２６に記載の方法。
【請求項２９】
前記チャレンジ質問は、前記別のユーザの画像が与えられた場合、該別のユーザの名前をアイデンティファイすることを要求する請求項２６に記載の方法。
【請求項３０】
前記チャレンジ質問は、前記別のユーザの名前が与えられた場合、該別のユーザの画像をアイデンティファイすることを要求する請求項２６に記載の方法。
【請求項３１】
前記チャレンジ質問は、前記別のユーザおよび前記或るユーザを示す画像が与えられた場合、該別のユーザをアイデンティファイすることを要求する請求項２６に記載の方法。
【請求項３２】
前記チャレンジ質問は、前記或るユーザが前記ソーシャルネットワーキングシステムにおいて最近インタラクトしたことがあり且つ該或るユーザが前記ソーシャルネットワーキングシステムにおいてコネクションを持つ第２のユーザをアイデンティファイすることを要求する請求項２６に記載の方法。
【請求項３３】
前記リクエストは、前記或るユーザのアカウントにログインするリクエストである請求項２６に記載の方法。
【請求項３４】
前記リクエストは、メッセージを同報送信するリクエストである請求項２６に記載の方法。
【請求項３５】
前記リクエストは、前記或るユーザのためにオンライン購入を実行するリクエストである請求項２６に記載の方法。
【請求項３６】
前記チャレンジ質問に対する正しくない回答を受け取ることに応じて、リクエストされた前記アクセスを拒絶するステップを更に具備する請求項２６に記載の方法。
【請求項３７】
プロセッサに、
ソーシャルネットワーキングシステムの複数のユーザのプロフィールを、メンバープロフィール記憶部で維持する手順と、
前記ソーシャルネットワーキングシステムの前記ユーザ間の複数のコネクションを、コネクション記憶部で維持する手順と、
コンピューティングリソースに対するアクセスを要求するリクエストであって、前記ソーシャルネットワーキングシステムの或るユーザに関連した該リクエストをリクエスト元から受け取るよう構成されたウェブサーバモジュールと、
CAPTCHAマネージャモジュールであって、
前記或るユーザが前記ソーシャルネットワーキングシステムにおいてコネクションを持つ別のユーザのユーザプロフィールから情報を入手し、
チャレンジ質問を生成し、ここで、前記チャレンジ質問は、該チャレンジ質問に対する回答が、入手された前記情報に少なくとも部分的に基づくような質問であり、
チャレンジ質問を前記リクエスト元に送り、
前記チャレンジ質問に対する正しい回答の受け取りに応じて、要求された前記アクセスを許可する、
よう構成された前記CAPTCHAマネージャモジュールと、
を実行させるためのコンピュータプログラム。
【手続補正２】
【補正対象書類名】明細書
【補正対象項目名】００２２
【補正方法】変更
【補正の内容】
【００２２】
前記ウェブサイト200は、さらに、前記コネクション記憶部255において異なるメンバー間の1または複数のコネクションを記述するデータを記憶する。該コネクション情報は、類似したまたは共通の職歴、グループ会員資格、趣味または学歴を有するメンバーを示すものであってよい。さらに、前記ソーシャルネットワークホストサイト200は、メンバーが該メンバーの他のメンバーとの関係を明記することを可能にする、異なるメンバー間のメンバーによって定義されたコネクションを含む。例えば、このようなメンバーによって定義されたコネクションは、友達、仕事の同僚、パートナー等の、メンバーの実生活上の関係に匹敵する関係を発生することを可能にする。メンバーは、予め定義された種類のコネクションから選択し、または、必要に応じて彼ら自身のコネクションを定義できる。